(57)【要約】【課題】現行の情報受信装置は、ある決まったフォントサイズを用いていたため、小さいサイズのテレビでは緊急速報の情報を見ることは困難であった。【解決手段】本発明にかかる情報受信装置は、送信される番組の内容とその関連するデータで構成される番組情報を受信し、前記情報を利用して速報等の情報を表示する情報受信装置において、その情報のサイズを変更するサイズ変更手段を備えたことを特徴とするものである。【選択図】  図１
2004312507.tif 000002
【特許請求の範囲】
【請求項１】
所定情報の内容、前記所定情報の存在の有無を含む付加情報および番組情報を受信し、前記所定情報が存在することを検出した場合にのみ前記所定情報の画面表示信号を所定情報のための画面表示サイズ情報に基づいて生成する表示信号生成手段を有する情報受信装置。
【請求項２】
所定情報の内容、前記所定情報の存在の有無を含む付加情報および番組情報を受信し、前記所定情報が存在することを検出した場合にのみ前記所定情報の内容を音声合成技術を用いて音声データに変換した信号を生成する音声信号生成手段を有する情報受信装置。
【請求項３】
所定情報の内容、前記所定情報の存在の有無、前記所定情報に関する音声情報を含む付加情報および番組情報を受信し、前記所定情報に関する音声情報を検出する場合には前記音声情報を、検出しない場合には予め設定された音声情報を、前記所定情報が存在することを検出した場合にのみ音声信号として出力する情報受信装置。
【発明の詳細な説明】
【０００１】
【発明の属する技術分野】
本発明は、地上波や衛星放送、あるいはＣＡＴＶ、インターネットといった放送媒体から放送情報を受信する情報受信装置に関する。
【０００２】
【従来の技術】
地震などの緊急速報は、緊急時の非常に重要な情報源となっている。近年デジタル方式によるテレビ放送では、送信される番組の内容に付随して送られる追加情報の形式で各家庭の受信機がその情報を受信し、緊急情報としてテレビなどの方送受信機に表示し、テレビの全視聴者に対して情報を提供している。（例えば、特許文献１参照。）。
【０００３】
【特許文献１】
特開２００２−２６２１９２号公報
【０００４】
【発明が解決しようとする課題】
しかしながら上記の従来の構成では、実際にはテレビのサイズは異なるため、同じような条件で緊急情報を得ることはできず、また目が見えないという不自由な条件を持っている視聴者に対しては、テレビに緊急情報を表示するだけなので、そのような緊急情報を入手することは困難であるという問題点９ｐｎを有していた。
【０００５】
本発明は上記の従来の問題点を解決するもので、情報受信装置は、番組中の緊急情報を視聴者が容易に視聴できる情報受信装置を提供することを目的とする。
【０００６】
【課題を解決するための手段】
この目的を達成するために本発明の請求項１にかかる情報受信装置は、所定情報の内容、前記所定情報の存在の有無を含む付加情報および番組情報を受信し、前記所定情報が存在することを検出した場合にのみ前記所定情報の画面表示信号を所定情報のための画面表示サイズ情報に基づいて生成する表示信号生成手段を有することを特徴とするものである。
【０００７】
また、本発明の請求項２にかかる情報受信装置は、所定情報の内容、前記所定情報の存在の有無を含む付加情報および番組情報を受信し、前記所定情報が存在することを検出した場合にのみ前記所定情報の内容を音声合成技術を用いて音声データに変換した信号を生成する音声信号生成手段を有することを特徴とするものである。
【０００８】
さらに、本発明の請求項３にかかる情報受信装置は、所定情報の内容、前記所定情報の存在の有無、前記所定情報に関する音声情報を含む付加情報および番組情報を受信し、前記所定情報に関する音声情報を検出する場合には前記音声情報を、検出しない場合には予め設定された音声情報を、前記所定情報が存在することを検出した場合にのみ音声信号として出力することを特徴とするものである。
【０００９】
【発明の実施の形態】
（実施の形態１）
以下に、本発明の実施の形態１における情報受信装置について説明する。図１は、本発明の実施の形態１における情報受信装置の構成を示すブロック図である。図１において、送信装置１１は、映像情報や音声情報からなる番組情報、及び前記番組情報の内容を示す付加情報を送信する送信装置である。なお、付加情報とは、例えば、チャンネル番号、番組名、番組開始時刻、番組終了時刻、ジャンル項目等の番組情報の内容を示す情報であり、本発明の実施の形態１における付加情報は、少なくとも、所定情報である緊急情報の内容、緊急情報の存在の有無を有するものであればよい。従って、さらにフォントのサイズ等の表示サイズの情報を有していてもよい。情報受信装置１２は、送信装置１１から送信された番組情報及び付加情報を受信する情報受信装置であって、受信部１０１、分離部１０２、外部信号受信部１０３、チャンネル指示部１０４、情報処理部１０５、表示部１０６、付加情報保持部１０７、緊急情報抽出部１０８、フォントサイズ変更部１０９と緊急情報表示部１１０から成る。受信部１０１は、送信装置１１から送信された番組情報及び付加情報を受信し、分離部１０２に出力する。分離部１０２は、受信部１０１が受信した番組情報及び付加情報を、番組情報と付加情報に分離し、番組情報を情報処理部１０５に、付加情報を付加情報保持部１０７に出力する。外部信号受信部１０３は、視聴者のリモコン操作等により発信されるチャンネル切換え信号を受信し、受信したチャンネル切換え信号をチャンネル指示部１０４、及び緊急情報抽出部１０８に出力する。チャンネル指示部１０４は、表示部１０６に表示する番組情報を情報処理部１０５に指示するものであり、表示部１０６に表示中のチャンネル番号を保持するとともに、外部信号受信部１０３からチャンネル切換え信号を受け取ると、当該チャンネル切換え信号に基づいてチャンネル切換えを行う。情報処理部１０５は、チャンネル指示部１０４により指示されたチャンネル番号で示される番組情報を表示部１０６に表示する。付加情報保持部１０７は、分離部１０２で分離された付加情報を保持する。緊急情報抽出部１０８は、付加情報保持部１０７が保持している付加情報に基づいて、緊急情報があるかどうかを検出する。緊急情報があればその情報をメモリに保持する。さらに、その緊急情報を表示するために利用される画面表示サイズ情報であるフォントのサイズを同様にメモリに保持する。尚、上記画面表示サイズ情報は付加情報に拘わらず情報受信装置で設定することも可能である。
【００１０】
フォントサイズ変更部１０９は、表示すべき緊急情報を検出することができた時点で、緊急情報抽出部１０８で保持されたフォントサイズをフォントサイズ変更部１０９で決めたフォントサイズを用いてユーザーが希望するフォントサイズに変更する。表示信号生成手段である緊急情報表示部１１０は、緊急情報のための画面表示サイズ情報に基づいて緊急情報の画面表示信号を生成する。表示部１０６では表示中の番組上に重ねて画面表示信号を表示する。
【００１１】
以下に、この緊急情報表示処理について、図２を用いて詳細に説明する。図２は、本発明の実施の形態１における情報受信装置１２の緊急情報表示処理を説明するためのフローチャートである。緊急情報抽出部１０８では、番組情報の中に、緊急情報があるかどうかを判断し、緊急情報がある場合には、ステップＳ１０２に行く（Ｓ１０１）。番組情報の中に、緊急情報を表示するために利用されるフォントサイズがあるかどうかを判断する。有ればそれをメモリに保持し、無ければデフォルトのフォントサイズ（現在利用しているフォントサイズ）をメモリに保持する（Ｓ１０２）。メモリに保持されたフォントサイズを、ユーザーが希望するフォントサイズに置きかえる（Ｓ１０３）。緊急情報表示部１１０は、メモリ内に保持された緊急情報を、メモリ内に保持されたフォントサイズで表示部１０６に表示する（Ｓ１０４）。
【００１２】
このように、情報受信装置が、緊急情報がある場合には、緊急情報表示部１１０が表示部１０６に表示中の番組上に、ユーザが希望するフォントのサイズで緊急情報を表示することができる。
【００１３】
（実施の形態２）
以下に、本発明の実施の形態２における情報受信装置について説明する。図３は、本発明の実施の形態２における情報受信装置の構成を示すブロック図である。
【００１４】
なお、本発明の実施の形態２における情報受信装置は、緊急情報抽出部１０８で検出した所定情報である緊急情報を、音声出力部２０１で緊急情報を音声として出力し、さらに音声データ送信手段である音声データ送信部２０２で携帯電話などの外部機器に音声データを送信するものであり、前記実施の形態１で説明した情報受信装置と同様の動作を行なう構成要素については、同一の符号を付し説明を省略する。
【００１５】
図３において、１１は、映像情報や音声情報からなる番組情報、及び前記番組情報の内容を示す付加情報を送信する送信装置である。なお、付加情報とは、例えば、チャンネル番号、番組名、番組開始時刻、番組終了時刻、ジャンル項目等の番組情報の内容を示す情報であり、本発明の実施の形態２における付加情報は、少なくとも、緊急速報があるか否かの情報、緊急情報の内容、ならびに緊急情報の音声情報を有するものであればよい。情報受信装置２２は、送信装置１１から送信された番組情報及び付加情報を受信する情報受信装置であって、受信部１０１、分離部１０２、外部信号受信部１０３、情報処理部１０５、表示部１０６、付加情報保持部１０７、緊急情報抽出部１０８と音声出力部２０１から成る。音声出力部２０１は、緊急情報抽出部１０８で検出できた緊急情報を、音声として出力する。音声データ送信部２０２は、音声出力部２０１で得られた音声データを外部機器に送信する。
【００１６】
次に、本発明の実施の形態２における情報受信装置２２の動作について説明する。受信部１０１は、送信装置１１から送信された番組情報及び付加情報を受信し、分離部１０２に出力する。分離部１０２は、受信した番組情報及び付加情報を分離し、番組情報を情報処理部１０５に、付加情報を付加情報保持部１０７にそれぞれ出力する。情報処理部１０５は、チャンネル指示部１０４により指示されたチャンネル番号で示される番組情報を表示部１０６に表示する。緊急情報抽出部１０８が、表示すべき緊急情報を検出することができた時点で、音声出力部２０１で、緊急情報を音声として出力する。
【００１７】
以下に、この緊急情報表示処理について、図４を用いて詳細に説明する。図４は、本発明の実施の形態２における情報受信装置２２の緊急情報の音声出力処理を説明するためのフローチャートである。緊急情報抽出部１０８は、番組情報の中に、緊急情報があるかどうかを判断し、緊急情報がある場合には、ステップＳ２０２に行く（Ｓ２０１）。番組情報の中に、緊急情報の音声情報があるかどうかを判断する。あればそれをメモリに保持し、なければデフォルトの音声情報（例えば「市役所に問い合わせて下さい」等の決まった音声データ）をメモリに保持する（Ｓ２０２）。音声出力部２０１は、メモリ内に保持された緊急情報の音声情報を出力する（Ｓ２０３）。音声データ送信部２０２は、その音声データを送信する（Ｓ２０４）。
【００１８】
このように、情報受信装置が、緊急情報がある場合には、音声出力部２０１が表示部１０６に表示中の番組を表示しながら、緊急情報を音声で知らせることができる。
【００１９】
尚、上記説明においては所定情報である緊急情報に含まれる音声情報、またはデフォルトの音声情報を出力する場合について説明した。しかし、音声情報が無い場合であっても緊急情報の内容、前記緊急情報の存在の有無を含む付加情報および番組情報を受信し、前記緊急情報が存在することを検出した場合にのみ前記緊急情報の内容を音声合成技術を用いて音声データに変換した信号を生成する音声信号生成手段を有する場合には、緊急情報の内容を音声で知らせることができる。
【００２０】
【発明の効果】
本発明によれば、情報受信装置が所定情報が存在することを検出した場合にのみ、番組中の緊急情報を視聴者が容易に視聴できるという優れた効果を有する。
【図面の簡単な説明】
【図１】本発明の実施の形態１における情報受信装置の構成を示すブロック図
【図２】本発明の実施の形態１における緊急情報表示処理を説明するためのフローチャート
【図３】本発明の実施の形態２における情報受信装置の構成を示すブロック図
【図４】本発明の実施の形態２における緊急情報表示処理を説明するためのフローチャート
【符号の説明】
１１  送信装置
１２、２２  情報受信装置
１０１  受信部
１０２  分離部
１０３  外部信号受信部
１０４  チャンネル指示部
１０５  情報処理部
１０６  表示部
１０７  付加情報保持部
１０８  緊急情報抽出部
１０９  フォントサイズ変更部
１１０  緊急情報表示部
２０１  音声出力部部
２０２  音声データ送信部
【図１】
2004312507.tif 000003
【図２】
2004312507.tif 000004
【図３】
2004312507.tif 000005
【図４】
2004312507.tif 000006